(57)【要約】【課題】  除霜運転に要する時間を短縮させることが可能な空気調和機を提供する。【解決手段】  暖房運転中に室温がリモコン１３で設定した設定温度になったと判断したら、圧縮機７とクロスフローファン５と送風ファン１１とを停止させる温調停止を行って除霜運転を開始するか、温調停止直前の圧縮機７の出力や温調停止前の所定時間における圧縮機７の平均出力により暖房負荷が小さいと判断したら、第１除霜開始温度より所定値だけ高い第２除霜開始温度以下となったら除霜を開始することや、温調停止前の所定時間における室外熱交センサ１２で検出された温度の変化率が所定値以下であれば除霜運転を開始することで、暖房運転を一時的に停止させて行う除霜運転に要する時間を短縮させて、使用者の暖房感の喪失を防止する。【選択図】  図１
2014074564.tif 000002
【特許請求の範囲】
【請求項１】
冷媒を圧縮する圧縮機と、室内に配される室内熱交換器と、冷媒を減圧する膨張弁と、室外に配される室外熱交換器とを環状に接続した冷凍サイクルと、該冷凍サイクルの途中に設置され冷媒の流動方向を変更する流路切替手段と、室内の空気を前記室内熱交換器に供給する室内ファンと、室外の空気を前記室外熱交換器に供給する室外ファンと、前記室外熱交換器の温度を検出する室外熱交センサと、室内の温度を検出する室温センサと、所望の室内温度となるように設定温度を設定するリモコンと、該リモコンで設定された設定温度となるように前記室内ファン及び前記室外ファンを駆動させ、前記圧縮機を駆動させて前記室内熱交換器へ冷媒を流動させる暖房運転を行うと共に、前記室外熱交センサで第１除霜開始温度以下の温度を検出したら、前記室内ファン及び前記室外ファンを停止させ、前記流路切替手段により前記暖房運転時と逆方向に冷媒を流動させる除霜運転を制御する制御部とを備えた空気調和機において、前記制御部は、前記暖房運転時に前記リモコンで設定した設定温度以上の値を前記室温センサが検出し、かつ、前記室外熱交センサで前記第１除霜開始温度より高い第２除霜開始温度以下の温度を検出したら、前記除霜運転を開始することを特徴とする空気調和機。
【請求項２】
前記制御部は、前記暖房運転時に前記リモコンで設定した設定温度以上の値を前記室温センサが検出し、かつ、前記暖房運転時における前記圧縮機の出力が所定値以下で、かつ、前記室外熱交センサで前記第１除霜開始温度より所定値だけ高い前記第２除霜開始温度以下の温度を検出したら、前記除霜運転を開始することを特徴とする請求項１記載の空気調和機。
【請求項３】
前記制御部は、前記暖房運転時に前記リモコンで設定した設定温度以上の値を前記室温センサが検出し、かつ、前記暖房運転時における前記圧縮機の出力が所定値以下の状態が所定時間以上継続して、かつ、前記室外熱交センサで前記第１除霜開始温度より所定値だけ高い前記第２除霜開始温度以下の温度を検出したら、前記除霜運転を開始することを特徴とする請求項２記載の空気調和機。
【請求項４】
冷媒を圧縮する圧縮機と、室内に配される室内熱交換器と、冷媒を減圧する膨張弁と、室外に配される室外熱交換器とを環状に接続した冷凍サイクルと、該冷凍サイクルの途中に設置され冷媒の流動方向を変更する流路切替手段と、室内の空気を前記室内熱交換器に供給する室内ファンと、室外の空気を前記室外熱交換器に供給する室外ファンと、前記室外熱交換器の温度を検出する室外熱交センサと、室内の温度を検出する室温センサと、所望の室内温度となるように設定温度を設定するリモコンと、該リモコンで設定された設定温度となるように前記室内ファン及び前記室外ファンを駆動させ、前記圧縮機を駆動させて前記室内熱交換器へ冷媒を流動させる暖房運転を行うと共に、前記室外熱交センサで第１除霜開始温度以下の温度を検出したら、前記室内ファン及び前記室外ファンを停止させ、前記流路切替手段により前記暖房運転時と逆方向に冷媒を流動させる除霜運転を制御する制御部とを備えた空気調和機において、前記制御部は、前記暖房運転時に前記リモコンで設定した設定温度以上の値を前記室温センサが検出し、かつ、前記暖房運転時における前記圧縮機の出力が所定値以下の状態であれば、所定時間における前記室外熱交センサで検出された温度の変化した割合である変化率を算出し、前記変化率が所定値以下であれば前記除霜運転を開始することを特徴とする空気調和機。
【請求項５】
前記制御部は、前記暖房運転時に前記リモコンで設定した設定温度以上の値を前記室温センサが検出し、かつ、前記暖房運転時における前記圧縮機の出力が所定値以下の状態が所定時間以上継続していれば、所定時間における前記室外熱交センサで検出された温度の変化した割合である変化率を算出し、前記変化率が所定値以下であれば前記除霜運転を開始することを特徴とする請求項４に記載の空気調和機。
【発明の詳細な説明】
【技術分野】
【０００１】
この発明は、暖房運転を行うと共に除霜運転を行う空気調和機に関するものである。
【背景技術】
【０００２】
従来、この種のものにおいて、冷凍サイクル中の圧縮機で高温にされた冷媒を室内熱交換器に流入し、室内ファンで室内空気を室内熱交換器に供給して暖房運転を行う空気調和機があり、暖房運転中に外気温が低下して低温の冷媒が流動する室外熱交換器に着霜が発生し室外熱交センサでの検出温度が除霜開始温度以下になると、室内ファンと室外ファンとを停止させ、冷媒を逆方向に流動させることで室外熱交換器の除霜を実施する除霜運転を行っていた。（例えば、特許文献１）
【先行技術文献】
【特許文献】
【０００３】
【特許文献１】特開２０１２−７８０６５号公報
【発明の概要】
【発明が解決しようとする課題】
【０００４】
しかし、このような従来のものでは、一般にリモコンで設定された設定温度以上に室温が到達したと判断したら、暖房運転を中断させて室温が上がりすぎないようにしているが、暖房運転時の設定温度を低くしたことや他の暖房器具を併用して室内を加熱している等により、暖房負荷が小さい状態で外気温が低い場合、室温が設定温度以上に上昇したことにより暖房運転を一時中断し、その後、室温が低下して暖房運転を再開すると、暖房運転再開後すぐに室外熱交換器の温度が低下して除霜開始温度に到達し除霜運転が開始され、再び暖房運転が中断されることがあるため、暖房運転が頻繁に断続されることで使用者の暖房感が喪失することがあった。
【課題を解決するための手段】
【０００５】
上記課題を解決するために、本発明の請求項１では、冷媒を圧縮する圧縮機と、室内に配される室内熱交換器と、冷媒を減圧する膨張弁と、室外に配される室外熱交換器とを環状に接続した冷凍サイクルと、該冷凍サイクルの途中に設置され冷媒の流動方向を変更する流路切替手段と、室内の空気を前記室内熱交換器に供給する室内ファンと、室外の空気を前記室外熱交換器に供給する室外ファンと、前記室外熱交換器の温度を検出する室外熱交センサと、室内の温度を検出する室温センサと、所望の室内温度となるように設定温度を設定するリモコンと、該リモコンで設定された設定温度となるように前記室内ファン及び前記室外ファンを駆動させ、前記圧縮機を駆動させて前記室内熱交換器へ冷媒を流動させる暖房運転を行うと共に、前記室外熱交センサで第１除霜開始温度以下の温度を検出したら、前記室内ファン及び前記室外ファンを停止させ、前記流路切替手段により前記暖房運転時と逆方向に冷媒を流動させる除霜運転を制御する制御部とを備えた空気調和機において、前記制御部は、前記暖房運転時に前記リモコンで設定した設定温度以上の値を前記室温センサが検出し、かつ、前記室外熱交センサで前記第１除霜開始温度より高い第２除霜開始温度以下の温度を検出したら、前記除霜運転を開始するものである。
【０００６】
また、請求項２では、前記制御部は、前記暖房運転時に前記リモコンで設定した設定温度以上の値を前記室温センサが検出し、かつ、前記暖房運転時における前記圧縮機の出力が所定値以下で、かつ、前記室外熱交センサで前記第１除霜開始温度より所定値だけ高い前記第２除霜開始温度以下の温度を検出したら、前記除霜運転を開始するものである。
【０００７】
また、請求項３では、前記制御部は、前記暖房運転時に前記リモコンで設定した設定温度以上の値を前記室温センサが検出し、かつ、前記暖房運転時における前記圧縮機の出力が所定値以下の状態が所定時間以上継続して、かつ、前記室外熱交センサで前記第１除霜開始温度より所定値だけ高い前記第２除霜開始温度以下の温度を検出したら、前記除霜運転を開始するものである。
【０００８】
また、請求項４では、冷媒を圧縮する圧縮機と、室内に配される室内熱交換器と、冷媒を減圧する膨張弁と、室外に配される室外熱交換器とを環状に接続した冷凍サイクルと、該冷凍サイクルの途中に設置され冷媒の流動方向を変更する流路切替手段と、室内の空気を前記室内熱交換器に供給する室内ファンと、室外の空気を前記室外熱交換器に供給する室外ファンと、前記室外熱交換器の温度を検出する室外熱交センサと、室内の温度を検出する室温センサと、所望の室内温度となるように設定温度を設定するリモコンと、該リモコンで設定された設定温度となるように前記室内ファン及び前記室外ファンを駆動させ、前記圧縮機を駆動させて前記室内熱交換器へ冷媒を流動させる暖房運転を行うと共に、前記室外熱交センサで第１除霜開始温度以下の温度を検出したら、前記室内ファン及び前記室外ファンを停止させ、前記流路切替手段により前記暖房運転時と逆方向に冷媒を流動させる除霜運転を制御する制御部とを備えた空気調和機において、前記制御部は、前記暖房運転時に前記リモコンで設定した設定温度以上の値を前記室温センサが検出し、かつ、前記暖房運転時における前記圧縮機の出力が所定値以下の状態であれば、所定時間における前記室外熱交センサで検出された温度の変化した割合である変化率を算出し、前記変化率が所定値以下であれば前記除霜運転を開始するものである。
【０００９】
また、請求項５では、前記制御部は、前記暖房運転時に前記リモコンで設定した設定温度以上の値を前記室温センサが検出し、かつ、前記暖房運転時における前記圧縮機の出力が所定値以下の状態が所定時間以上継続していれば、所定時間における前記室外熱交センサで検出された温度の変化した割合である変化率を算出し、前記変化率が所定値以下であれば前記除霜運転を開始するものである。
【発明の効果】
【００１０】
この発明の請求項１によれば、暖房運転時に前記リモコンで設定した設定温度以上の値を室温センサが検出し、かつ、室外熱交センサで第１除霜開始温度より高い第２除霜開始温度以下の温度を検出したら、除霜運転を開始するので、室温が設定温度以上となって暖房要求がない状態の時に除霜運転を行うことで、暖房運転の実施時間を削ることなく室外熱交換器の除霜を行うことができ、使用者の暖房感の喪失が防止できると共に、室外熱交換器の着霜量が少ない状態で除霜が行われるため、除霜時間も短縮することができる。
【００１１】
また、請求項２によれば、暖房運転時にリモコンで設定した設定温度以上の値を室温センサが検出し、かつ、暖房運転時における圧縮機の出力が所定値以下で、かつ、室外熱交センサで第１除霜開始温度より所定値だけ高い第２除霜開始温度以下の温度を検出したら、除霜運転を開始するので、室温が設定温度以上となって暖房要求がなく、かつ、圧縮機の出力が低く暖房負荷が小さい状態であれば除霜開始温度を上げて早期に除霜運転を行うようにしたことで、室温が十分に暖まっている時に除霜運転を行うことができ、使用者の暖房感の喪失が防止できると共に、室外熱交換器の着霜量が少ない状態で除霜が行われるため、除霜時間も短縮することができる。
【００１２】
また、請求項３によれば、暖房運転時にリモコンで設定した設定温度以上の値を室温センサが検出し、かつ、暖房運転時における圧縮機の出力が所定値以下の状態が所定時間以上継続して、かつ、室外熱交センサで第１除霜開始温度より所定値だけ高い第２除霜開始温度以下の温度を検出したら、除霜運転を開始するので、室温が設定温度以上となって暖房要求がなく、かつ、圧縮機の出力が低く暖房負荷が小さい状態が所定時間以上継続しており室温が安定していれば、除霜開始温度を上げて早期に除霜運転を行うようにしたことで、室温の変動が少なく除霜運転によって室温が過度に低下するおそれがない時に除霜運転が行うことができ、使用者の暖房感の喪失が防止できると共に、室外熱交換器の着霜量が少ない状態で除霜が行われるため、除霜時間も短縮することができる。
【００１３】
また、請求項４によれば、暖房運転時にリモコンで設定した設定温度以上の値を室温センサが検出し、かつ、暖房運転時における圧縮機の出力が所定値以下の状態であれば、所定時間における室外熱交センサで検出された温度の変化した割合である変化率を算出し、変化率が所定値以下であれば除霜運転を開始するので、室温が設定温度以上となって暖房要求がなく、かつ、圧縮機の出力が低く暖房負荷が小さい状態において外気温が低下し、室外熱交センサの検出温度が急激に低下したことにより除霜運転を開始することで、室温が十分に暖められた状態で室外熱交換器の着霜量が増加する前に除霜運転を行うことができ、使用者の暖房感の喪失が防止できると共に、室外熱交換器の着霜量が少ない状態で除霜が行われるため、除霜時間も短縮することができる。
【００１４】
また、請求項５によれば、暖房運転時にリモコンで設定した設定温度以上の値を室温センサが検出し、かつ、暖房運転時における圧縮機の出力が所定値以下の状態が所定時間以上継続していれば、所定時間における室外熱交センサで検出された温度の変化した割合である変化率を算出し、変化率が所定値以下であれば前記除霜運転を開始するので、室温が設定温度以上となって暖房要求がなく、圧縮機の出力が低く暖房負荷が小さい状態が所定時間以上継続して室温が安定している時に外気温が低下し、室外熱交センサの検出温度が急激に低下したことにより除霜運転を開始することで、室温の変動が少なく除霜運転によって室温が過度に低下するおそれがない時に室外熱交換器の着霜量が増加する前に除霜運転を行うことができ、使用者の暖房感の喪失が防止できると共に、室外熱交換器の着霜量が少ない状態で除霜が行われるため、除霜時間も短縮することができる。
【図面の簡単な説明】
【００１５】
【図１】この発明の一実施形態を示す概略構成図
【図２】同発明の第１実施形態の制御ブロック図
【図３】同発明の第１実施形態の動作を説明するフローチャート
【図４】同発明の第２実施形態の制御ブロック図
【図５】同発明の第２実施形態の動作を説明するフローチャート
【図６】同発明の第３実施形態の制御ブロック図
【図７】同発明の第３実施形態の動作を説明するフローチャート
【発明を実施するための形態】
【００１６】
次にこの発明を適用した空気調和器の一実施形態を図に基づいて説明する。
１は室内に設置された室内機、２は室外に設置された室外機であり、室内機１と室外機２とを配管で接続した冷凍サイクル３内を冷媒が流動することで、冷房運転や暖房運転が可能な空気調和機を構成している。
【００１７】
４は複数のパイプ内を冷媒が流動する室内熱交換器、５は前記室内熱交換器４に室内の空気を供給する室内ファンとしてのクロスフローファン、６は室内の温度を検出するための室温センサで、それぞれ前記室内機１内に備えられており、高温や低温の冷媒を室内熱交換器４に流通させ、室内空気をクロスフローファン５を駆動させて室内熱交換器４に供給することで、室内機１が備えられた部屋の空調を行う。
【００１８】
７は冷媒を圧縮させて高温高圧にする圧縮機、８は冷媒の流動方向を変化させる流路切替手段としての四方弁、９は冷媒を膨張させて低温低圧にする膨張弁、１０は内部に備えられた複数のパイプ内を冷媒が流動する室外熱交換器、１１は前記室外熱交換器１０に向けて外気を供給する室外ファンとしての送風ファン、１２は前記室外熱交換器１０の温度を検出する室外熱交センサで、それぞれ前記室外機２内に備えられている。
【００１９】
１３は室内機１による運転モードや設定温度を設定するリモコンであり、運転の開始及び停止を指示する運転ボタン１４と、暖房運転や冷房運転等の各運転モードの切替を行う運転切替ボタン１５と、各運転モードにおける設定温度を変更する温度設定ボタン１６と、室温や設定温度、現在時刻等を表示するディスプレイ１７とが備えられている。
【００２０】
１８は前記室外機２内に備えられ各機能装置に指示を与えるマイコンで構成された制御部であり、四方弁８の向きを切り替えることで冷房運転と暖房運転の切替を可能とし、室温センサ６で検出された室温や室外熱交センサ１２で検出された室外熱交換器１０の温度と所定値とを比較する温度比較手段１９が備えられている。
【００２１】
次に、この発明の一実施形態における具体的な動作について説明する。
リモコン１３上に設置された運転切替ボタン１５で暖房運転が選択されると、四方弁８が図１の実線で示した方に切り替わって圧縮機７が駆動し、圧縮機７で圧縮され高温高圧となった冷媒が図１中の実線の矢印方向へ向けて流動して、室内熱交換器３が凝縮器として働くことで、クロスフローファン５で供給された室内空気が加熱され、室内に温風が送風される。
【００２２】
室内熱交換器３から流出した冷媒は膨張弁９で膨張され低温低圧となって室外熱交換器１０に流入し、蒸発器として働く室外熱交換器１０に流入した冷媒は送風ファン１１で供給された室外空気によって蒸発し、ガス冷媒に状態変化して圧縮機７に流入する。このように冷凍サイクル３内を冷媒が流動することで暖房運転が可能となる。
【００２３】
また、リモコン１３上に設置された運転切替ボタン１５で冷房運転が選択されると、四方弁８が図１中の破線で示した方に切り替わって圧縮機７が駆動開始するので、圧縮機７で圧縮され高温高圧となった冷媒が破線の矢印方向に流動して室外熱交換器１０内に流入し、凝縮器として働く室外熱交換器１０に流入した冷媒は送風ファン１１で供給された室外空気によって凝縮する。
【００２４】
室外熱交換器１０から膨張弁９に流入した冷媒は膨張され低温低圧となり、蒸発器として働く室内熱交換器４に冷媒が流入してクロスフローファン５で供給された室内空気の熱を吸熱してガス冷媒に状態変化し圧縮機７に流入する。このように冷凍サイクル３内を冷媒が流動することで冷房運転が可能となる。
【００２５】
また、暖房運転及び冷房運転において、リモコン１３の温度設定ボタン１６で設定された設定温度に室温が近づくと、圧縮機７の出力を低下させて過度な室温の上昇や低下を防止することで、室温を設定温度近傍に維持することができる。
【００２６】
また、冷房運転もしくは暖房運転を行っている最中に、制御部１８は、リモコン１３の温度設定ボタン１６で設定された設定温度と室温センサ６で検出された室温とを温度比較手段１９で比較し、室温が設定温度に達していると判断したら、圧縮機７とクロスフローファン５と送風ファン１１とを駆動停止させ、冷房運転もしくは暖房運転を一時的に停止する温調停止を行う。その後、室温センサ６で検出された室温が設定温度から離れたと判断したら、再度冷房運転もしくは暖房運転を再開するので、室内の過度な冷暖房を防止し消費電力の増加を防止する。
【００２７】
次に、室外熱交換器１０の着霜を取り除く除霜運転の第１実施形態について図３のフローチャートに基づいて説明する。
リモコン１３上に設置された運転切替ボタン１５で暖房運転が選択され、温度設定ボタン１６で設定温度を２０℃に設定して、運転ボタン１４が操作され暖房運転を開始したら（ステップＳ１０１）、制御部１８は、室外熱交センサ１２で検出された温度と所定の第１除霜開始温度（例えば−１０℃）とを温度比較手段１９で比較し（ステップＳ１０２）、室外熱交センサ１２での検出値が−１０℃以下であれば、室外熱交換器１０の温度が低く着霜量が多いとして、四方弁８を切り替えて圧縮機７で高温高圧となった冷媒を室外熱交換器１０に流入して着霜を溶かす除霜運転を開始する（ステップＳ１０３）。
【００２８】
ここで除霜運転について説明すると、室外熱交センサ１２で検出された温度が−１０℃等の所定値以下である場合、室外熱交換器１０の温度が低く着霜量が増加しており、このまま暖房運転を継続すると更に着霜量が増加して暖房効率が低下するため、制御部１８は、四方弁８の弁方向を切り替えて冷房運転時と同じ方向に冷媒を流動させることで、圧縮機７で高温高圧に加熱された冷媒を室外熱交換器１０に流入して着霜を溶かす除霜を行う。
【００２９】
一方、ステップＳ１０２で室外熱交センサ１２での検出値が−１０℃よりも高ければ、制御部１８は、室温センサ６で検出された室温を確認し（ステップＳ１０４）、検出された室温が設定温度である２０℃以上か温度比較手段１９で比較して（ステップＳ１０５）、検出された室温が２０℃以上であれば、圧縮機７とクロスフローファン５と送風ファン１１とを停止させる温調停止を行い（ステップＳ１０６）、検出された室温が２０℃未満であれば、再度ステップＳ１０２で室外熱交センサ１２での検出値を確認する。
【００３０】
ステップＳ１０６で温調停止したら、制御部１８は、室外熱交センサ１２で検出された温度と前記第１除霜開始温度より高い第２除霜開始温度（例えば−５℃）とを温度比較手段１９で比較し（ステップＳ１０７）、室外熱交センサ１２で検出された温度が−５℃以下であれば、四方弁８の弁方向を切り替えてから圧縮機７を駆動させて除霜運転を開始する（ステップＳ１０８）。
【００３１】
以上のように、温調停止時に室外熱交センサ１２で検出された温度が第１除霜開始温度より高い第２除霜開始温度以下となったら除霜運転を開始することで、外気温が低くかつ、暖房運転時の設定温度が低めであったり、ファンヒータ等の室内機１以外の暖房器具を併用して室内の暖房を行っている等により、着霜する条件下でありながら空気調和機の暖房負荷が小さい場合において、温調停止が終了して暖房運転を再開した後に除霜運転の開始条件に至るまでの時間を延ばすことができ、暖房運転時間を長くすることが可能となるため、使用者の暖房感の喪失を防止し、室外熱交換器１０の着霜量が少ない状態で除霜が行われるため、除霜運転時間も短縮することができる。
【００３２】
次に、この発明の第２実施形態について図４の制御ブロック図に基づいて説明する。
２０は冷房運転及び暖房運転中に駆動する圧縮機７の出力と所定値とを比較する出力比較手段、２１は暖房運転開始から所定時間である２０分間における圧縮機７の平均値を常時算出して更新する平均出力算出手段であり、それぞれ制御部１８に備えられ、その他の構成要素に関しては前記第１実施形態と同一なので説明を省略する。
【００３３】
次に、第２実施形態の室外熱交換器１０の着霜を取り除く除霜運転について図５のフローチャートに基づいて説明する。
ステップＳ１０１からステップＳ１０６までは前記第１実施形態と同様の制御なので説明を省略する。
ステップＳ１０６で温調停止したら、制御部１８は、温調停止する直前の圧縮機７の出力を確認し（ステップＳ２０１）、温調停止直前の出力と所定値である３０Ｈｚとを出力比較手段２０で比較して（ステップＳ２０２）、温調停止直前の圧縮機７が３０Ｈｚ以下の低出力で駆動していたと判断したら次のステップに進み、温調停止直前の出力が３０Ｈｚを超えていれば制御を終了する。
【００３４】
ステップＳ２０２で温調停止直前の圧縮機７の出力が３０Ｈｚ以下だと判断したら、制御部１８は、温調停止する前の２０分間における圧縮機７の平均出力について平均出力算出手段２１での算出結果を確認し（ステップＳ２０３）、算出結果の平均出力と所定値である３５Ｈｚとを出力比較手段２０で比較して（ステップＳ２０４）、圧縮機７の平均出力が３５Ｈｚ以下の低出力で駆動していたと判断したら次のステップへ進み、平均出力が３５Ｈｚを超えていれば制御を終了する。
【００３５】
ステップＳ２０４で圧縮機７の平均出力が３５Ｈｚ以下だと判断したら、制御部１８は、室外熱交センサ１２で検出された温度と前記第１除霜開始温度より高い第２除霜開始温度（例えば−５℃）とを温度比較手段１９で比較し（ステップＳ２０５）、室外熱交センサ１２での検出温度が−５℃以下であれば除霜運転を開始する（ステップＳ２０６）。
【００３６】
以上のように、温調停止直前の圧縮機７の出力が所定値以下で、温調停止前の２０分間における圧縮機７の平均出力が所定値以下であれば、暖房負荷が小さく温調停止前の室内が十分に暖まっている状態だと判断して、第１除霜開始温度より所定値だけ高い第２除霜開始温度以下となったら除霜運転を開始することで除霜運転が早期に開始され、除霜運転の所要時間を短縮させて室温の低下を最小限に抑えることができ、使用者の暖房感の喪失を防止し、室外熱交換器１０の着霜量が少ない状態で除霜が行われるため、除霜運転時間も短縮することができる。
【００３７】
次に、この発明の第３実施形態について図５の制御ブロック図に基づいて説明する。
２２は室外熱交センサ１２の所定時間である１０分間における温度の変化値から温度の変化した割合である変化率ａを式（１）で常時算出して更新する変化率算出手段であり、その他の構成要素に関しては前記第１実施形態及び前記第２実施形態と同一なので説明を省略する。
（１）変化率ａ＝温度の変化値／所定時間
【００３８】
次に、第３実施形態の室外熱交換器１０の着霜を取り除く除霜運転について図６のフローチャートに基づいて説明する。
ステップＳ１０１からステップＳ１０６、及びステップＳ２０１からステップＳ２０４までは前記第１実施形態及び前記第２実施形態と同様の制御なので説明を省略する。ステップＳ２０４で圧縮機７の平均出力が３５Ｈｚ以下だと判断したら、制御部１８は、温調停止する前の１０分間における室外熱交センサ１２で検出された温度の変化率ａについて変化率算出手段２２で算出された数値を確認する（ステップＳ３０１）。
【００３９】
ステップＳ３０１で変化率ａを確認したら、制御部１８は、変化率ａと所定値（例えば−０．２）とを比較し（ステップＳ３０２）、変化率ａが所定値である−０．２以下であれば除霜運転を開始する（ステップＳ３０３）。
【００４０】
暖房運転時に室外の温度が急激に低下すると、室外熱交換器１０の温度が早期に低下し着霜量の増加が懸念されるが、室外熱交センサ１２で検出された温度の１０分間における変化値から算出される変化率に基づいて除霜運転を開始することで、室外熱交換器１０の着霜が今後増加するおそれがあるとして除霜運転を早期に開始するため、短時間で室外熱交換器１０の除霜を完了することができ、除霜残りの発生が防止可能な効率のよい除霜を可能とする。
【００４１】
以上のように、温調停止直前の圧縮機７の出力が所定値以下で、温調停止前の２０分間における圧縮機７の平均出力が所定値以下であれば、所定時間における室外熱交センサ１２で検出された温度の変化値から算出した変化率が所定値以上であれば除霜運転を開始するので、暖房負荷が小さく室温が設定温度の近傍で安定している時に室外の温度が急激に低下し、室外熱交換器１０の着霜量が増加するおそれがあることを変化率に基づいて判断し、早期に除霜運転を開始することで、除霜運転の所要時間を短縮して室温の低下を最小限に抑えることができ、使用者の暖房感の喪失を防止できる。
【００４２】
なお、前記実施形態では温調停止直前の圧縮機７の出力と温調停止前の２０分間における圧縮機７の平均出力に基づき、除霜開始温度を上げたり室外熱交センサ１２で検出された温度の変化率で除霜運転を開始する制御を実施しているが、これに限らず例えば、室温センサ６で検出された室温の所定時間における平均値が設定温度近傍であれば、室温が安定しており除霜運転によって室温低下するおそれが低いと判断して、除霜開始温度を所定値上げることや室外熱交センサ１２で検出された温度の変化率によって除霜運転を開始する制御でもよいものである。
【００４３】
また、今回の実施形態では、第１除霜開始温度を−１０℃、第２除霜開始温度を−５℃とし、更に、除霜開始温度を上げたり室外熱交センサ１２で検出された温度の変化率による除霜開始の条件について、温調停止直前の出力を３０Ｈｚ以下、圧縮機７の温調停止してから２０分間の平均出力を３５Ｈｚ以下、１０分間における室外熱交センサ１２で検出された温度の変化率を−０．２以下としたが、ここで示した数値に限らず、本発明の内容から逸脱しない範囲で数値を変更してもよいものである。
【符号の説明】
【００４４】
１    室内機
２    室外機
３    冷凍サイクル
４    室内熱交換器
５    クロスフローファン
６    室温センサ
７    圧縮機
８    四方弁
９    膨張弁
１０    室外熱交換器
１１    送風ファン
１２    室外熱交センサ
１３    リモコン
１８    制御部
【図１】
2014074564.tif 000003
【図２】
2014074564.tif 000004
【図３】
2014074564.tif 000005
【図４】
2014074564.tif 000006
【図５】
2014074564.tif 000007
【図６】
2014074564.tif 000008
【図７】
2014074564.tif 000009